(57)【要約】【課題】  隣接チャネル漏洩比測定を迅速に行う。【解決手段】    受信中間周波数信号をベースバンド信号に変換し２１、前記受信中間周波数信号の捕捉に用いられるハードウェアにおける前記ベースバンド信号の振幅及び位相の不均一性を補正し２２、前記補正ベースバンド信号にデシメーション２３を施して記憶する１３。記憶された補正ベースバンド信号は、ルータによって、再サンプリングしてスペクトル・シフトを行い２３、低域フィルタリング操作２４を行い、チャネル電力を検出する３１ように、再送される。【選択図】  図３
2005341581.tif 000002
【特許請求の範囲】
【請求項１】
受信済中間周波数信号をベースバンド信号に変換する変換ブロックと、
前記受信済中間周波数信号の捕捉に用いられるホストのハードウェアにおける前記ベースバンド信号の振幅及び位相の不均一性を補正する第１のフィルタと、
前記補正済ベースバンド信号にデシメーションを施すリサンプラと、
前記デシメーションを施された補正済ベースバンド信号を記憶するメモリと、
前記デシメーションを施されて記憶された補正済ベースバンド信号をリサンプラに再送するルータであって、前記リサンプラが、再送されてきた、前記デシメーションを施されて記憶された補正済ベースバンド信号を再サンプリングして、スペクトル・シフトを実行する、ルータと、
前記デシメーションを施されて、記憶され、再送され、再サンプリングを施された補正済ベースバンド信号に対して低域フィルタリング操作を行う第２のフィルタと、
前記デシメーションを施されて、記憶され、再送され、再サンプリングを施され、フィルタリングを施された補正済ベースバンド信号のチャネル電力を検出する電力検出器と
を備えてなる、隣接チャネル漏洩比測定を行うために用いられるテスタ・モジュール。
【請求項２】
前記デシメーションを施されて記憶された補正済ベースバンド信号が、リサンプラに前記ルータによって５回再送され、前記リサンプラが再送毎に、異なるスペクトル・シフトを行うことを特徴とする請求項１に記載のテスタ・モジュール。
【請求項３】
前記デシメーションを施されて記憶された補正済ベースバンド信号が、リサンプラに前記ルータによって５回再送され、前記リサンプラが各再送毎に、異なるスペクトル・シフトを行い、該スペクトル・シフトの量が、−１０ＭＨｚ、−５ＭＨｚ、０ＭＨｚ、＋５ＭＨｚ、＋１０ＭＨｚであることを特徴とする請求項１に記載のテスタ・モジュール。
【請求項４】
前記テスタ・モジュールにマイクロコントローラが含まれることを特徴とする請求項１に記載のテスタ・モジュール。
【請求項５】
前記デシメーションを施されて記憶された補正済ベースバンド信号が、前記第１のフィルタを介して前記ルータによってリサンプラに送られ、前記第１のフィルタがバイパス・モードにあることを特徴とする請求項１に記載のテスタ・モジュール。
【請求項６】
前記デシメーションを施された補正済ベースバンド信号が、前記メモリへの途中で前記第２のフィルタを通過し、前記第２のフィルタがバイパス・モードにあることを特徴とする請求項１に記載のテスタ・モジュール。
【請求項７】
前記変換ブロックと前記電力検出器とがテスタ回路内にあり、前記第１のフィルタと前記リサンプラと前記第２のフィルタとがフィルタリング回路内にあることを特徴とする請求項１に記載のテスタ・モジュール。
【請求項８】
前記デシメーションを施され、記憶され、再送されてきた補正済ベースバンド信号に前記リサンプラによってデシメーションが施されることを特徴とする請求項１に記載のテスタ・モジュール。
【請求項９】
受信済中間周波数信号をベースバンド信号に変換するステップと、
リサンプラによって、前記受信済中間周波数信号の捕捉に用いられるホストのハードウェアにおける前記ベースバンド信号の振幅及び位相の不均一性を補正するステップと、
前記補正済ベースバンド信号にデシメーションを施すステップと、
前記デシメーションを施された補正済ベースバンド信号を記憶するステップと、
前記デシメーションを施されて記憶された補正済ベースバンド信号をリサンプラに再送し、前記リサンプラにおいて、前記再送されてきた、デシメーションを施されて、記憶された補正済ベースバンド信号に再サンプリングが施されて、スペクトル・シフトが行われるようにするステップと、
前記デシメーションを施されて、記憶され、再送され、再サンプリングを施された補正済ベースバンド信号に対して低域フィルタリング操作を行うステップと、
前記デシメーションを施されて、記憶され、再送され、再サンプリングを施され、フィルタリングされた補正済ベースバンド信号のチャネル電力を検出するステップと
を含んでなる隣接チャネル漏洩比測定を行うために用いられる方法。
【請求項１０】
前記リサンプラへの前記再送が５回行われ、前記リサンプラが、各再送毎に異なるスペクトル・シフトを行うことを特徴とする、請求項９に記載の方法。
【発明の詳細な説明】
【背景技術】
【０００１】
隣接チャネル漏洩比（Adjacent Channel Leakage Ratio:ＡＣＬＲ）は、隣接チャネルで測定される電力対伝送される電力の比である。広帯域符号分割多元接続（Ｗ−ＣＤＭＡ）の場合、伝送される電力と隣接チャネルの電力が、両方とも、ａ＝０．２２でロール・オフし、帯域幅がチップ・レートに等しいルートレイズドコサイン（ＲＲＣ）フィルタ応答を示すフィルタで測定される。
【０００２】
ＡＣＬＲは、無線通信産業において最も重要な測定の１つである。無線通信装置の製造及び試験コストを最小限に抑える場合、正確で（または再現性があって）、迅速なＡＣＬＲ測定の実施は重要な要素になる。
【０００３】
Ｗ−ＣＤＭＡ（スペクトラム拡散とも呼ばれる）を製造する場合、３ＧＰＰ仕様によれば、搬送波通信路電力に関する２つの隣接チャネル（搬送周波数から＋／−５ＭＨｚオフセットしたもの）と２つの代替チャネル（搬送周波数から＋／−１０ＭＨｚオフセットしたもの）の電力比の測定が要求される。ＡＣＬＲに関して、例えば、基地局製造試験の場合には、搬送波を基準として−６５デシベル（ｄＢｃ）といった、十分なダイナミックレンジが必要とされる。チャネル電力に関してより高い測定精度を実現するには、観測時間を延長する必要がある。この結果、一般に、測定処理速度が低下する。
【０００４】
例えば、アジレントＥ４４０６Ａベクトル信号分析器を利用して、または、アジレントＰＳＡシリーズ高性能スペクトル分析器（例えば、Ｅ４４４３Ａ、Ｅ４４４５Ａ、Ｅ４４４０Ａ、Ｅ４４４６Ａ、または、Ｅ４４４８Ａ、ＰＳＡシリーズ・スペクトル分析器）を利用してＡＣＬＲを実施する場合、高速フーリエ変換（ＦＦＴ）または掃引モードを利用して、スペクトル・トレースが収集される。ＲＲＣフィルタが周波数領域に適用される。スペクトル・トレースを積分して、各オフセットにおけるチャネル電力が求められる（搬送波通信路を含む）。全ての数学的計算は、一般に、ホスト中央演算処理装置（ＣＰＵ）において実施される。
【発明の開示】
【発明が解決しようとする課題】
【０００５】
例えば、掃引モードでアジレントＰＳＡシリーズ高性能スペクトル分析器を利用して、スペクトル・トレースがＲＲＣフィルタ形状を表わすのに十分な解像度を備えることを確認するには、狭い解像帯域幅（Resolution Bandwidth:ＲＢＷ）が必要になる。また、その測定精度の実現には、十分に長い掃引時間が必要とされる。
【０００６】
例えば、アジレントＥ４４０６Ａベクトル信号分析器を利用するか、または、アジレントＰＳＡシリーズ高性能スペクトル分析器をＦＦＴモードで利用すると、３つの主たる要素が測定性能に影響する。第１に、約２５ＭＨｚの帯域幅を分析するためのＡＣＬＲ要件に適応するため、試験に用いられる局部発振器（ＬＯ）を数回にわたって同調し直さなければならない。ＬＯを同調し直す毎に、約５ミリ秒（ｍｓ）かかるが、これは、比較的長い時間である。第２に、ＦＦＴ及びＲＲＣフィルタの動作速度が、ホストＣＰＵによって制限される。第３に、データ捕捉メモリからホストへのデータ転送に多大な時間を必要とする。
【課題を解決するための手段】
【０００７】
本発明の実施態様によれば、テスタ・モジュールを利用して、隣接チャネル漏洩比測定が実施される。テスタ・モジュールには、変換ブロックと、第１のフィルタと、リサンプラと、メモリと、ルータと、第２のフィルタと、電力検出器とが含まれている。変換ブロックでは、受信済中間周波数信号がベースバンド信号に変換される。第１のフィルタは、受信済中間周波数信号の捕捉に用いられるホスト・ハードウェアにおけるベースバンド信号の振幅及び位相の不均一性を補正（compensate）する。リサンプラは、補正済ベースバンド信号のデシメーションを行う。メモリは、デシメーションを施された補正済ベースバンド信号を記憶する。ルータは、デシメーションを施され、記憶された補正済ベースバンド信号をリサンプラに再送する。リサンプラは、再送されてきた、デシメーションを施され、記憶された補正済ベースバンド信号を再サンプリングして、スペクトル・シフトを行う。第２のフィルタは、デシメーションを施されて、記憶され、再送され、再サンプリングを施された補正済ベースバンド信号に対して低域フィルタリング操作を行う。電力検出器は、デシメーションを施されて、記憶され、再送され、再サンプリングを施され、フィルタリングを施された補正済ベースバンド信号のチャネル電力を検出する。
【発明を実施するための最良の形態】
【０００８】
図１は、ホスト・システム１０に追加されたテスト・モジュールの概略ブロック図である。例えば、ホスト・システム１０は、アジレント・テクノロジ社から入手可能なアジレントＰＳＡシリーズ高性能スペクトル・アナライザのようなスペクトル分析システムである。あるいはまた、ホスト・システム１０は、ベクトル信号分析器のような他のあるタイプの分析システムである。テスト・モジュールは、例えば、ホスト・システム１０によって用いられるドータ・ボードとして実施される。
【０００９】
テスト・モジュールには、バス１８を介して接続されたホスト・インターフェイス１７、マイクロコントローラ１２、メモリ１３、フィルタリング回路１４、テスタ回路１５、及び、コンバータ・インターフェイス１６が含まれている。
【００１０】
例えば、ホスト・インターフェイス１７は、周辺コンポーネント相互接続ＰＣＩバススタンダードにコンパチブルであるインターフェイスである。マイクロコントローラ１２は、例えば、ＩＢＭまたはモトローラ社から入手可能なＰｏｗｅｒＰＣとコンパチブルな縮小命令セット・コンピュータ（ＲＩＳＣ）マイクロプロセッサを用いて実施される。
【００１１】
例えば、コンバータ・インターフェイス１６は、ホスト・システム１０からハードウェア中間周波数（ＩＦ）アナログ・データを受信して、中間周波数でアナログ・ディジタル変換を行う。あるいはまた、ホスト・インターフェイス１７を介して、ホスト・システム１０からハードウェア中間周波数（ＩＦ）ディジタル・データを受信することも可能である。Ｗ−ＣＤＭＡシステムの場合、ＩＦディジタル・データは、例えば、中間周波数（例えば、５０ＭＨｚ〜１００ＭＨｚ）でアナログ信号のサンプリングを行い、イマジナリ／クワドラチャ（Ｉ／Ｑ）データを生成することによって生成される。
【００１２】
例えば、フィルタリング回路１４は、フィルタリング、再サンプリング、フィルタリングを連続して行う専用集積回路（ＡＳＩＣ）である。例えば、テスト回路１５は、中間・ベースバンド変換を行い、電力検出を行うようにプログラムされたフィールド・プログラマブル・ゲート・アレイ（ＦＰＧＡ）である。フィルタリング回路１４及びテスト回路１５は、図示のように、２つの独立した集積回路として実施されているが、本発明の代替実施態様では、フィルタリング回路１４及びテスト回路１５の機能は、単一集積回路、または、３つ以上の集積回路で実施することが可能である。
【００１３】
図２は、テスト・モジュールを利用して実施される隣接チャネル漏洩比（ＡＣＬＲ）試験を示すフローチャートである。ブロック３１では、データを受信し、変換し、補正（compensate）し、デシメーションを施し、記憶される。これが、図３に例示されている。
【００１４】
図３において、コンバータ・インターフェイス１６が、例えば、中間周波数（例えば、５０ＭＨｚ）の校正済ベースバンドＩＱ信号として捕捉されたディジタル信号をテスト回路１５に送る。ＩＦ〜ベースバンド・ブロック２１によって例示するように、符号化情報を得るため、テスト回路１５は、中間周波数からベースバンド周波数へのダウンコンバートを行う。ベースバンド周波数情報は、テスト回路１５によってフィルタリング回路１４に送られる。フィルタリング回路１４の第１のフィルタ２２は、ホスト・システム１０によって生じる、符号化情報の振幅及び位相の不均一性を補正する。例えば、第１のフィルタ２２は、有限長インパルス応答（ＦＩＲ）フィルタである。
【００１５】
フィルタリング回路１４のリサンプラ２３は、記憶すべきデータ量を削減するため、信号のサンプリング・レートが低下するように、信号のデシメーションを行う。フィルタリング回路１４のフィルタ２４は、それ以上の変更を施さずに、メモリ１３へのデータの流れを可能にするため、バイパス・モードにされる。データは、処理に備えて、メモリ１３に記憶される。
【００１６】
ブロック３２では、図２に示すように、メモリ１３に記憶されたデータが、テスト回路１５を介して再送される。データにスペクトル・シフト操作、フィルタリング操作、及び、電力検出を施すことによって、メモリ１３内に記憶されるチャネル電力値が得られる。これが、図４によって例示されている。
【００１７】
図４において、メモリ１３に記憶されたデータが、テスト回路１５によってフィルタリング回路１４のフィルタ２２に再送される。フィルタリング回路２２は、バイパス・モードにあるので、データはバイパスされて、リサンプラ２３に送られる。リサンプラ２３は、さらなるデシメーションと共に、スペクトル・シフトを行って、データ量を削減する。例えば、単一搬送波Ｗ−ＣＤＭＡシステムＡＣＬＲ試験には、搬送波周波数、搬送波周波数から＋５ＭＨｚ、搬送波周波数から−５ＭＨｚ、搬送波周波数から＋１０ＭＨｚ、及び、搬送波周波数から−１０ＭＨｚにおける電力測定が必要になる。リサンプラ５３によるデータの各パス毎に、異なる量のスペクトル・シフトが生じる。例えば、第１のパス時、リサンプラ５３は、−１０ＭＨｚだけスペクトルをシフトさせる。第２のパス時、リサンプラ５３は、−５ＭＨｚだけスペクトルをシフトさせる。第３のパス時、リサンプラ５３によるスペクトル・シフトは０ＭＨｚである。第４のパス時、リサンプラ５３は、＋５ＭＨｚだけスペクトルをシフトさせる。第５のパス時、リサンプラ５３は、＋１０ＭＨｚだけスペクトルをシフトさせる。
【００１８】
フィルタリング回路１４のフィルタ２４は、低域フィルタ・モードにあり、３．８４ＭＨｚのルートレイズドコサイン（ＲＲＣ）低域フィルタの働きをする。テスト回路１５内において、電力検出器３１は、実効（ｒｍｓ）振幅検出を行う。検出されたｒｍｓ振幅値は、１ミリワットを基準としたデシベル（ｄＢｍ）で表示の絶対電力に変換される。
【００１９】
ブロック３３では、図２に示すように、問題となる全てのチャネルについて電力検出が行われたか否かが確認される。単一搬送波Ｗ−ＣＤＭＡシステムＡＣＬＲ試験の場合、これには、５回のパス、すなわち、搬送周波数における測定、搬送周波数から＋５ＭＨｚにおける測定、搬送周波数から−５ＭＨｚにおける測定、搬送周波数から＋１０ＭＨｚにおける測定、及び、搬送周波数から−１０ＭＨｚにおける測定が必要になる。ホスト・システム１０のＩＦ帯域幅が十分に広い限り、テスト・モジュール１１を用いて、多搬送波Ｗ−ＣＤＭＡシステムＡＣＬＲ試験をサポートすることが可能である（例えば、６回以上のパス）。
【００２０】
ブロック３４において、問題となる全てのチャネルについて、電力が検出されると、各チャネル毎の検出電力データがホスト・システム１０に送られる。あるいはまた、全てのチャネルについて、チャネル電力が検出されるのを待ってから、結果得られる値をホスト・システム１０に送る必要はない。各パスの終了時に、その結果をホスト・システムに送ることが可能である。
【００２１】
以上の論考は、ただ単に本発明の典型的な方法及び実施態様の開示及び解説にすぎない。当業者には明らかなように、本発明は、その精神または本質的な特性から逸脱することなく、他の特定の形態で実施することが可能である。従って、本発明の開示は、付属の請求項に記載された、本発明の範囲の例示を意図したものであって、制限を意図したものではない。
【図面の簡単な説明】
【００２２】
【図１】本発明の実施態様による分析システムに追加されるテスト・モジュールの略ブロック図である。
【図２】本発明の実施態様による信号捕捉中に、図１に示すテスト・モジュールを用いて実施される、隣接チャネル漏洩比（ＡＣＬＲ）試験を例示したフローチャートである。
【図３】本発明の実施態様による信号捕捉中における、図１に示すテスト・モジュールの略ブロック図である。
【図４】本発明の実施態様による信号の再サンプリング中における、図１に示すテスト・モジュールの略ブロック図である。
【符号の説明】
【００２３】
１０  ホスト
１１  テスタ・モジュール
１２  マイクロコントローラ
１３  メモリ
１５  テスタ回路
２１  変換ブロック
２２  第１のフィルタ
２３  リサンプラ
２４  第２のフィルタ
３１  電力検出器
【図１】
2005341581.tif 000003
【図２】
2005341581.tif 000004
【図３】
2005341581.tif 000005
【図４】
2005341581.tif 000006